(57)【要約】      （修正有）【課題】長期間の動力源に成る無公害動力源エンジンを提供する。【解決手段】本発明の動力源エンジンの特徴はギヤーによる主軸と同時連動回転時のメカニズムに左、右、の反逆転加速回転との主軸の加速回転に装着した内週反逆右回転盤に主軸の回転に合体反逆左回転加工物の復数個を設置させた外側に加速回転にする外週反逆左回転盤に特徴を有する同位体同志の永久磁石放磁と電源による電磁石放磁気と同位体加工物を設着させたギヤーによる主軸と同時連動回転の反逆転に加速回転させたメカニズムにしたもので有る。【選択図】なし【特許請求の範囲】
【発明の詳細な説明】
2020198769.tif 000002
2020198769.tif 000003
2020198769.tif 000004
2020198769.tif 000005
2020198769.tif 000006
2020198769.tif 000007
2020198769.tif 000008
2020198769.tif 000009
2020198769.tif 000010
2020198769.tif 000011
2020198769.tif 000012
2020198769.tif 000013
2020198769.tif 000014
2020198769.tif 000015
2020198769.tif 000016
2020198769.tif 000017
2020198769.tif 000018
2020198769.tif 000019
2020198769.tif 000020
2020198769.tif 000021
2020198769.tif 000022
2020198769.tif 000023
2020198769.tif 000024
2020198769.tif 000025
2020198769.tif 000026
2020198769.tif 000027
2020198769.tif 000028
2020198769.tif 000029
2020198769.tif 000030
2020198769.tif 000031
2020198769.tif 000032
2020198769.tif 000033
2020198769.tif 000034
2020198769.tif 000035
2020198769.tif 000036
2020198769.tif 000037
2020198769.tif 000038
2020198769.tif 000039
2020198769.tif 000040
2020198769.tif 000041
2020198769.tif 000042
2020198769.tif 000043
2020198769.tif 000044
2020198769.tif 000045
2020198769.tif 000046
2020198769.tif 000047
2020198769.tif 000048
2020198769.tif 000049
2020198769.tif 000050
2020198769.tif 000051
2020198769.tif 000052
2020198769.tif 000053
2020198769.tif 000054
2020198769.tif 000055
2020198769.tif 000056
2020198769.tif 000057
2020198769.tif 000058
2020198769.tif 000059
2020198769.tif 000060
2020198769.tif 000061
2020198769.tif 000062
2020198769.tif 000063
2020198769.tif 000064
2020198769.tif 000065
2020198769.tif 000066
2020198769.tif 000067
2020198769.tif 000068
2020198769.tif 000069
2020198769.tif 000070
2020198769.tif 000071
2020198769.tif 000072
2020198769.tif 000073
2020198769.tif 000074
2020198769.tif 000075
2020198769.tif 000076
2020198769.tif 000077
2020198769.tif 000078
2020198769.tif 000079
2020198769.tif 000080
2020198769.tif 000081
2020198769.tif 000082
2020198769.tif 000083
2020198769.tif 000084
2020198769.tif 000085
2020198769.tif 000086
2020198769.tif 000087
2020198769.tif 000088
2020198769.tif 000089
2020198769.tif 000090
2020198769.tif 000091
2020198769.tif 000092
2020198769.tif 000093
2020198769.tif 000094
2020198769.tif 000095
2020198769.tif 000096
2020198769.tif 000097
2020198769.tif 000098
2020198769.tif 000099
2020198769.tif 000100
2020198769.tif 000101
2020198769.tif 000102
2020198769.tif 000103
2020198769.tif 000104
2020198769.tif 000105
2020198769.tif 000106
2020198769.tif 000107
2020198769.tif 000108
2020198769.tif 000109
2020198769.tif 000110
2020198769.tif 000111
2020198769.tif 000112
2020198769.tif 000113
2020198769.tif 000114
2020198769.tif 000115
2020198769.tif 000116
2020198769.tif 000117
2020198769.tif 000118
2020198769.tif 000119
2020198769.tif 000120
2020198769.tif 000121
2020198769.tif 000122
2020198769.tif 000123
2020198769.tif 000124
2020198769.tif 000125
2020198769.tif 000126
2020198769.tif 000127
2020198769.tif 000128
2020198769.tif 000129
2020198769.tif 000130
2020198769.tif 000131
2020198769.tif 000132
2020198769.tif 000133
2020198769.tif 000134
2020198769.tif 000135
2020198769.tif 000136
2020198769.tif 000137
2020198769.tif 000138
2020198769.tif 000139
2020198769.tif 000140
2020198769.tif 000141
2020198769.tif 000142
2020198769.tif 000143
2020198769.tif 000144
2020198769.tif 000145
2020198769.tif 000146
2020198769.tif 000147
2020198769.tif 000148
2020198769.tif 000149
2020198769.tif 000150
2020198769.tif 000151
2020198769.tif 000152
【手続補正書】
【提出日】令和1年11月25日(2019.11.25)
【手続補正２】
【補正対象書類名】明細書
【補正対象項目名】全文
【補正方法】変更
【補正の内容】
【発明の詳細な説明】
【技術分野】
【０００１】本発明は長期間の動力源に成るエンジンの原動力に電源とは異なる同位体には反応する４つの特徴を有する短期保存エネルギー源を復合させた回転合体加工物から外部放出する保存放出エネルギー源の復数個を主軸に装着した内週盤に回転合体加工物エネルギー源の復数個を設置させた外側に反逆転外週盤に復数個の同位体を固着させて、主軸と内週盤は右回転に設置した回転合体加工物の放出エネルギー源と外週盤は左回転に構成させた主軸を右回転すると同時に連動して内週盤は右回転に回転合体加工物は左回転に外週盤の左回転に内週盤は右回転に回転合体加工物の左回転に外週盤の左回転にはじかれしててこはね回転の反動力低抗のはね上げ反発力低抗に主軸は右回転に同時に連動回転する動力を持続させて保存エネルギー源を保持するために起された動力に起電された電源をエンジンの構造内に組み込みした復数個の保存エネルギー源に送電させながら長期間の動力源に成る持続する連動回転の無公害動力源エンジンに関する。
【背景技術】
【０００２】従来は動力エンジンを得る原動力に自然界における太陽光利用のソーラーシステムによる電源をバッテリーに補充電させながらモーター動力エンジンを稼働させているが、夜は機能作用は無く。バッテリーに補充電は出来ず、長期の稼働には動力モーターの消費量が多く、バッテリーの補給が足りず、他の電源を必要として、熱が生じると、モーター動力エンジンの機能作用は無く成り、無害では有るが、欠点も有った。
化石燃料、水素、ガス、等の動力エンジンの内燃機関に使用する原動力は資源にも限りが有り、公害汚染が有り、コストも高価で、有り、動力エンジンの持続には補給は必要で有り、水力、風力は条件が有り、不合理性が有った。
従来の先行技術に動力エンジンの原動力に電源と化石燃料と水素、ガス、等を用いて併用させたバッテリー電源の動力モーターエンジンと、化石燃料等の動力エンジンを組み合わせたハイブリットエンジン動力エンジン。で有ったが、長期の稼働には他の補給を必要とした課題が有った。
【先行技術文献】
【特許文献】
【０００３】（出願日）平成２４年１２月２１日特願（２０１２−２８９４２６）
（特開公報）平成２６年４月８日（認定し検討）審査請求（有）
（発明の名称）補充、供給無しの無公害動力エンジン。
一態様の保存エネルギー永久磁石の放磁気によるストッパー方法の連動回転の動力エンジン。
（発明者）吉  田  進
（識別番号）５９３０４７７７０
（特許文献１）
（出願日）平成５年１月２８日（１９９３）特願平成５−４９８５１
（特開公報）平成７年４月７日（１９９５）平成７年９５７８４
（発明の名称）無公害起動力と成る自続エネルギー起さり装置。
一態様にバッテリーの電源では無く、＋と−、端子からの放電子方法による無公害起動力源と成る自続エネルギー起さり装置。
（発明者）吉  田  進
（識別番号）５９３０４７７７０
（月刊誌）発明の友社平成７年６月号載る
（手続補正）平成６年４月１１日適合（済）
【非特許文献】
【０００４】（非特許文献１）
特許法第４４条第１項規定による特許出願
特許法第３８条ただし書きの規定による特許願
（出願日）昭和５１年特許出願第（０２３８５６）
（発明者）吉  田  進
［非特許文献］無公害起動力源に成る自続エネルギー起さり装置。
起動力源に成る一態様にモーターと発電機の中間に触媒を用いた方法に起電された電源を触媒に通して機態作用に相い互いに連関合い、関連合いして回転する自ら続けるエネルギー装置の一態様方法も有った。
［非特許文献２］
（起案日）（２０１４−１３１８８８）
（特願番号）（２０１２−２８９４２６）
（発明者）吉  田  進
（識別番号）５９３０４７７７０
［発明の名称］物質の放要素と磁石の放磁気による無公害動力源エンジン。動力源のエンジンを得る目的にした原動力に保存エネルギー源の一態様に物質加工の放要素と永久磁石の放磁気による連動回転にストッパーを用いたすり抜け方法による連動回転の無公害動力源エンジン。
従来における起動力源に成る一態様３、（先行技術文献）の（特許文献１）と（特許文献２）の方法に原動力の機能作用に自ら、続くエネルギーを起させて起りの起動力源に成る。（特許文献）と、一態様４、（非特許文献）の（非特許文献１）と（非特許文献２）の方法に保存エネルギー源を原動力の機能作用をエンジン内に組み込み連動回転にストッパーを用いたすり抜け回転の方法による連動回転の動力源に成るエンジン。で有ったが、一態様の方法による無公害動力源に成るエンジンで有る。
【発明の概要】
【発明が解決しようとする課題】（１）従来は動力に成るエンジンを得る目的にした原動力に自然界における無害のエネルギー源を利用、使用をする太陽光、風力、波力、水力、地熱、等、々には条件が整い利用、使用は可能と成る。が、他からのエネルギー源利用の太陽光は夜の機能は無く、保存エネルギー源では無く。風力は風が必要で有り、保存エネルギー源では無く。波力、水力、地熱、等は自由に移動、使用は出来ず、保存エネルギーでは無い。不合理な弱点が有った。従来の無害の原動力に動力を得る目的にしたエンジンで有った。太陽光のパネルシステムは広いスペースが必要で有り、エンジンの組み込みは出来ず、長期の稼働には消費量が多く成ると補充電が必要に成り、熱が生じるとモーターエンジン機能作用を失無い。夜の長期稼働のモーターエンジン機能作用は無く成る。欠点が有る太陽光を利用したパネルシステムのモーターエンジンで有るが、問題点の有る、太陽光による従来のモーター動力エンジンで有った。
（２）従来の動力に成るエンジンを得る目的にした原動力に資源に限りが有り、公害汚染の有る化石燃料、水素、ガス、等を用いて使用のエンジンの内燃機関に補給させながら長期の稼働に可能な動力に成るエンジンを得ているが、化石燃料のエネルギー源補給を必要とした従来の動力に成るエンジンでは有るが、欠点も有った。
（３）水素、ガス、等は、エンジンの内燃機関に供給させながら長期の稼働には補給は必要で有り、危険性が有る。従来における動力に成るエンジンを得る目的には多大な課題が有った。
（４）太陽光、バッテリーの電源による動力に成るモーターエンジンと化石燃料と水素、ガス等を用い、エンジンの内燃機関に補給する動力に成るエンジンの二つを組み合わせた、ハイブリットにした動力エンジンも有った。が、従来の動力に成るエンジンを得るには多大な欠点、不合理性、問題点の課題には化石燃料、水素、ガスを用いた供給の動力エンジンに起電された電源をバッテリーに補充電させて相い互いにモーターエンジンと動力エンジンを復合させた従来における補充、補給の必要とした動力に成るエンジンの課題で有った。
（５）［発明の詳細な説明］
長期間の動力源に成る持続する連動回転の無公害動力源エンジンに関する。
【課題を解決するための手段】本発明は長期間の動力源に成る持続する連動回転のエンジンを得る目的にした原動力に電源とは異なる同位体とは反応する４つの特徴を有する短期保存エネルギー源を復合させた回転合体加工物から外部放出する保存放出エネルギー源の特徴の有る合体加工物の復数個をエンジンの構造内に組み込みした機能作用に起動力の起された動力に起電源の起された電源を復数の保存エネルギー源に送電して保持させながら持続する主軸と同時の連動回転の長期間の動力源に成る無公害動力源エンジンに関する。
［解決する手段］
（エンジンの原動力に４つの特徴を有する短期保存エネルギー源を用いたメカニズム）に関する。
（１）短期保存エネルギー源の補充電も出来る触媒電極化工の電源では無く。電極から放出する放電子エネルギー源のエンジンの原動力。
（２）短期保存エネルギー源の液体と補充電も出来る触媒物質化工の電源では無く。物質から放出する放素子エネルギー源のエンジンの原動力。
（３）保存エネルギー永久磁石の放磁気エネルギー源の発電とエンジンの原動力。
（４）電源による電磁石の放磁気エネルギー源の発電の原動力。
本発明は動力源に成るエンジンを得る目的にした原動力に短期保存エネルギー源を復合させた合体回転加工物から外部放出する同位体には反応する保存放出、エネルギー源の復数個をエンジンの構造内に組み込み設置して搭載した構成に、起動レバーを作動させると主軸のスプライン状に装着の起動磁石盤のスライドに主軸に装着の内週回転盤に固着した起動磁石盤の相い互いのふれ合う空間のすき間に入り、連動回転にさせた内週回転盤に短期保存エネルギー源を復合させた合体回転加工物から外部放出する特徴を有する保存放出エネルギー源の復数個を内週回転盤に設置させた外側に図９と図９−２のストッパーによる設定では無く。反逆転の外週左回転盤にはね返えしの主軸と同時に連動回転にさせる合体回転加工物のてこはね回転の反動力抵抗の主軸を回転させるはね上げ回転の反発力抵抗に主軸と同時の連動回転にされた外週反逆回転盤の設定した事にてこはね回転の反動力抵抗と反発力抵抗は強化された連動回転に成り、保存エネルギー源を保持して持続させるために起動力の起された動力に起電源の起された電源を組み込みした保存エネルギー源の復数個に送電して保存エネルギー源を保持させながら長期間の動力源に成る持続する連動回転の無公害動力源エンジンの提供により従来の課題を解決する手段に至ったエンジンの発明で有る。
【手続補正３】
【補正対象書類名】特許請求の範囲
【補正対象項目名】全文
【補正方法】変更
【補正の内容】
【特許請求の範囲】
【請求項１】
本発明は長期間の動力源に成る持続する連動回転の無公害動力源エンジンに関する。
本発明は長期間の動力源に成る持続する連動回転の動力源エンジンを得る目的にした電源とは相違点の有る同位体には反応する４つの特徴を有する短期保存エネルギー源の復数個の合体回転加工物から外部放出する保存放出エネルギー源を復合させた復数個をエンジンの構造内に組み込みして搭載した構成に起動力の起された動力に起電源の起された電源を復数の保存エネルギー源に送電して保持させながら持続する主軸と同時に連動回転の長期間の動力源に成る無公害動力源エンジンに関する。
［解決する手段］
［動力源エンジンを得る目的の原動力の形態］
（１）短期保存エネルギー源の補充電可能な触媒電極化工の加工物から外部放出する放電子エネルギー源のエンジンの原動力。
（２）短期保存エネルギー源の液体補給と補充電可能な触媒物質化工の加工物から外部放出する放素子エネルギー源のエンジンの原動力。
（３）保存エネルギー永久磁石の放磁気エネルギー源の発電とエンジンの原動力。
（４）電源による保存エネルギー電磁石の放磁気エネルギー源の発電とエンジンの原動力。
［主軸と同時に連動回転のメカニズムの形態］
本発明は動力源に成るエンジンを得る目的にした原動力に短期保存エネルギー源の補給可能な合体回転加工物から外部放出する同位体には反応する保存放出エネルギー源の復数個をエンジンの構造内に組み込み設置して搭載した構成に起動レバーの作動に主軸にスプライン状にスライドする起動盤磁石の放磁気と主軸に装着の内週回転盤起動磁石の放磁気の相い互いのふれ合う空間のすき間に入り、連動回転にさせた内週回転盤に短期保存エネルギー源を復合させた合体加工物から外部放出する特徴の有る同位体の保存放出エネルギー源の合体回転加工物の復数個を設置させた外側に特徴の有る同位体の頂点の反逆転の外週左回転盤にはじかれて加速された主軸と連動回転に合体左回転同位体頂点のてこ回転のはね送り回転の反動力抵抗の主軸のてこはね回転の反発力抵抗に主軸と同時に連動回転に外週反逆左回転同位体頂点に加速されたてこ回転のはね送りとてこはね回転の反動力抵抗と反発力抵抗に主軸と連動回転に成り、保存エネルギー源を保持して持続させるために起動力の起された動力に起電源の起された電源を組み込みした保存エネルギー源の復数個に送電して保存エネルギー源を保持させながら長期間の動力源に成る持続する主軸と同時に連動回転の無公害動力源エンジンの提供により従来の課題を解決する手段にはかったエンジンの発明で有る。
［解決する手段］
［主軸と同時に連動回転のメカニズムの形態］
主軸と同時の連動回転にする特徴を有する復合の同位体を主軸に固着のスプライン状にスライドする起動盤磁石と装着した内週回転盤起動盤磁石の相い互いの放磁気のふれ合う空間のすき間に入り、連動する主軸を同時の連動回転にするために主軸に固着の短期保存エネルギー源を復合の同位体の頂点と主軸に装着の同方向の内週回転盤の頂点と主軸を回転にさせる装着した内週回転盤に短期保存エネルギー源の復数個の同位体の設置に反逆転の合体回転加工物から放出する保存放出エネルギー源の同位体の頂点と主軸の同位体の頂点のてこはね回転の反発力抵抗の主軸の回転に反逆転の合体回転加工物の復数個を装着した内週回転盤に設置した外側に装着させた反逆転の外週反逆回転盤に復数の同位体の頂点と放磁気の頂点の機能作用のてこはねに強化された主軸と同時に連動回転にする右回転主軸ギヤーをフレームに設けたアイドル左回転ギヤーをフレームに設けたアイドル右回転ギヤーを外側に装着の反逆転の外週反逆左回転盤に特徴の有る数個の同位体設置のギヤーに接続した反対側の右回転ギヤーをフレームに設けたアイドル左回転ギヤーを主軸に設置したダブル右回転ギヤーを内週右回転盤に設置の主軸を右回転に設置した合体反逆左回転加工物ギヤーに接続させて相い互いの同位体の頂点から頂点へとバランスの良いズレの無い同位体の頂点の相い互いのふれ合に主軸と同時の連動回転にする反逆転の外週反逆左回転盤のてこ回転の加速に主軸を回転させるはね送り回転の反動力抵抗と主軸を回転させるてこはね回転の反発力抵抗に主軸と同時の連動回転に機動力の起された動力に起電源の起された電源を組み込みした復数個の短期保存エネルギー源に送電して保存エネルギー源を保持させながら持続する連動回転の長期間の動力源に成る無公害動力源エンジンのメカニズムの形態で有る。
【請求項２】
［手段］
［主軸と同時連動のメカニズムの形態］
起動レバーの作動に主軸のスプライン状にスライドする起動盤磁石と主軸に装着の内週盤起動磁石の放磁気機能作用に空間の反発力と吸引力のすき間に入り、主軸と内週回転盤の同方向右回転に連動された主軸を同時の連動回転にするために特徴を有する同位体には、反応する補給可能な短期保存エネルギー源を復合させた主軸に固着の同位体の頂点と主軸に装着の内週右回転盤に特徴の有る同位体の短期保存エネルギー源を復合させた反逆転の合体反逆左回転加工物同位体の頂点の復数個を内週右回転盤に設置させた構成をエンジンの構造内に組み込みして搭載した同位体の頂点と頂点の相い互いの機能作用の主軸と同時連動における放磁気による連動と、ギヤーによる連動の主軸ギヤーをフレームに設けたアイドルギヤーを用いた連動するメカニズムにはかった右回転主軸ギヤーをフレームに設けたアイドル左回転ギヤーを主軸に設置のダブルギヤーの右回転ギヤーを主軸に装着した内週右回転盤に設置した反逆転の合体左回転加工物ギヤーに接続させた反対側に設けたアイドル右回転ギヤーを内週右回転盤の外側に反逆転にする外週左回転盤ギヤーに接続させたギヤーによる頂点のバランスの良いズレの無い連動させたメカニズムで有る。
［連動回転のメカニズムの作用動作の形態］
主軸と同時に連動回転のメカニズムに相い互いの機能作用の特徴を有する同位体には反応する同位体頂点の数個を主軸に固着の補給可能な短期保存エネルギー源の同位体の頂点と主軸に装着した内週右回転盤に同位体を復合させた反逆転の合体左回転加工物から外部放出する保存放出エネルギー源の同位体の頂点を設置させた復数個をエンジンの構造内に組み込みして搭載した右回転主軸に連動された内週右回転盤に主軸を右回転にするために反逆転の合体左回転加工物の復数個を設置させた外側に反逆転の外週反逆左回転盤に特徴の有る同位体の復数個を設着した同位体の頂点の左回転にはじかれてこ回転に加速された主軸を回転にするはね送り、回転の反動力抵抗の主軸の回転にするてこはね回転の反発力抵抗の主軸回転の加速された起動力の起された動力に起電源の起された電源を復数個の保存エネルギー源に送電して保存エネルギー源を保持させながら持続する主軸と同時に連動回転の長期間の動力源に成る無公害動力源エンジンの発明の作用動作で有る。
［エンジンの動作原理に連動メカニズムと回転機能作用の形態］
エンジンの動作原理に連動するメカニズムに右回転主軸に固着の数個の同位体の頂点と、主軸と同方向回転に装着の内週右回転盤に主軸を回転にさせる反逆転の同位体の頂点を復合させた合体反逆左回転加工物を設置させた外側に主軸回転を加速させてはじかせるてこ回転にする外週反逆左回転盤に特徴の有る復数個の同位体の頂点を設着させた主軸と同時に連動回転にする動作原理の連動回転に機能作用のメカニズムにギヤーによる連動の主軸右回転と同時の内週右回転盤に合体左回転加工物を設置して連結した外側にはじかせて、てこ回転にはじかせて加速させる回転の外週反逆左回転盤に連結して連動にする主軸右回転ギヤーをフレームに設けたアイドル左回転ギヤーを主軸に設置のダブル右回転ギヤーを合体左回転ギヤーに連結した反対に設けたアイドル右回転ギヤーを反逆転の外週反逆左回転盤ギヤーに連結して接続させたギヤーによる連動のメカニズムにしたもので有る。
［連動回転の機能作用のメカニズム。］
連動回転のメカニズムに主軸を連動右回転にする主軸に合体同位体頂点の固着に回転の強化に主軸に装着の内週右回転盤に主軸を回転にさせる合体反逆左回転加工物同位体頂点の復数個を設置させた外側に同位体同志の頂点をはじかせて加速させる反逆転の外週反逆左回転盤に特徴を有する復数個の同位体頂点を設着させた機能作用の動作に主軸に固着の合体同位体頂点と回転加速に主軸に装着した内週右回転盤に主軸を回転させる合体反逆左回転加工物同位体頂点の復数個を設置させた外側に相い互いの同位体頂点と頂点同志をはじかせてこ回転に加速させた回転に主軸と同時の連動回転にさせるはね送り回転の反動力抵抗の主軸の右回転させるてこはね右回転の反発力抵抗の機能作用動作のメカニズムにしたもので有る。
［従来の動力エンジンの特徴］
（イ）エンジンの内燃機関工程の自然界における利用、使用、のメカニズムの動作原理。
（ロ）電源による動力モーターエンジンの機能作用工程のメカニズムの動作原理。
［本発明は動力源エンジンの特徴の有る異なる相違点］
１）補給可能な短期保存の触媒電極化工から外部放出する保存エネルギー源同位体同志のふれ合う放電子の原動力。
２）補給可能な短期保存の触媒物質化工から外部放出する保存エネルギー源同位体同志のふれ合う放素子の原動力。
３）永久磁石の放磁気の機能作用同位体同志のふれ合う電源とエンジンの原動力。
４）電源による電磁石の放磁気同位体同志のふれ合う電源とエンジンの機能作用の原動力。
［上記載による動力源エンジン。］
ギヤーによる主軸の右回転時に主軸を加速に装着した内週右回転盤に主軸の右回転に合体反逆左回転加工物同位体の復数個を設置させた外側に反逆転に双方の内週右回転盤に主軸の回転に合体反逆左回転加工物を設置した反逆転の外週反逆左回転盤に特徴を有する同位体の復数個を設着させたギヤーによる双方の反逆転の加速回転のてこ回転にはじかれ同位体同志の相い互い機能作用のふれ合いする同位体同志の作用動作のメカニズムの動作原理にさせる反逆転の加速にはじかれ、主軸と同時に連動回転にする同位体同志の相い互いにふれ合いてこ回転にはじかれ、てこ送り回転の反動力抵抗にはじかれ、主軸の回転にてこはね回転の反発力抵抗にはじかれ主軸と同時に連動回転のメカニズムの機能の作用動作による反逆転に加速回転のてこ回転にはじかれ、主軸を回転させるメカニズムの作用動作によるてこ回転にはじかれ、てこ送り回転の反動力抵抗にはじかれ、主軸の回転にてこはね回転の反発力抵抗にはじかれ、主軸の連動回転のメカニズムにはかった動作原理にさせて作用動作による長期間の動力源に成る持続する主軸と同時に連動回転の無公害動力源エンジン。の発明を提供する。
本発明の主軸と連動回転のエンジンにする動作原理の作用動作の特徴はてこ回転にはじかれ、はね回転にはじき返えされする同位体の回転に、てこ送り回転の反動力抵抗の、てこはね回転の反発力抵抗の作用動作による連動回転の動作原理にさせる作用動作で有る。
［解決する手段］
本発明の動力源エンジンの特徴はギヤーによる主軸と同時連動回転時のメカニズムに左、右、の反逆転加速回転の主軸の加速回転に装着した内週反逆右回転盤に主軸の回転に合体反逆左回転加工物の復数個を設置させた外側に加速回転にする外週反逆左回転盤に特徴を有する同位体同志の永久磁石放磁と電源による電磁石放磁気と同位体加工物を設着させたギヤーによる主軸と同時連動回転の反逆転に加速回転させたメカニズムにしたもので有る。
［手段］
主軸右回転と同時に連動回転にするメカニズムの特徴を有する補給可能な短期保存エネルギー源の同位体同志の相い互いにふれ合いの動作原理にさせる作用動作のメカニズムにエンジンの構造内に組み込み搭載した主軸右回転時に固着の合体同位体頂点上の右側面と加速回転に装着に内週右回転盤に主軸の回転にする合体反逆左回転加工物から外部放出する保存放出同位体頂点下の右側面と主軸同位体頂点下の左側面のふれ合いする同位体の復数個を設置させた外側に左、右、反逆加速回転に内週右回転盤に合体反逆左回同位体頂点下の左側面の外側に外週反逆左回転盤に設着した特徴を有する永久磁石放磁気同位体と電源による電磁石放磁気同位体と触媒化工の同位体の左、右反逆加速回転にてこ回転にはじかれ、てこ送り回転の反動力抵抗の主軸の回転にてこはね回転の反発力抵抗に起動力の起された動力に起電源の起された電源を復数個の保存エネルギー源に送電させて保存エネルギー源を保持させながら持続する主軸と同時に連動回転の長期間の動力源に成る無公害動力源エンジンの提供により、従来の課題を解決する手段にした動力源エンジンの提供で有る。
本発明の動力源エンジンの従来とは異なる相違点の有る動作原理にさせる作用動作の特徴はてこ回転にはじかれはね送り回転の反動力抵抗のてこはね回転の反発力抵抗の作用動作による動作原理にするもので有る。